(57)【特許請求の範囲】
【請求項１】
槽体の底面に取り付けられて排水口を形成する排水栓と、
排水栓の内側に配置される捕集部材若しくは被覆部材から成る配管構造において、
排水栓は全周に亘って内側に突出する内鍔部と、
当該内鍔部の下方に設けられた段部を有し、
前記捕集部材若しくは被覆部材は、縁部より外周へ向けて突設する突起部を有し、
当該突起部が前記内鍔部を乗り越えて段部に載置されることを特徴とする配管構造。
【請求項２】
前記突起部が弾性変形することによって内鍔部を乗り越えることを特徴とする請求項１に記載の配管構造。
【請求項３】
槽体の底面に取り付けられて排水口を形成する排水栓と、
排水栓の内側に配置される捕集部材若しくは被覆部材から成る配管構造において、
排水栓は全周に亘って内側に突出する内鍔部と、
当該内鍔部の下方に設けられた段部を有し、
前記捕集部材若しくは被覆部材は、前記内鍔部を乗り越えて縁部が段部に載置されることを特徴とする配管構造。
【請求項４】
前記排水栓はその上面が金属板によって覆われており、
当該金属板によって内鍔部が形成されていることを特徴とする請求項１又は請求項３のいずれか１つに記載の配管構造。
【請求項５】
前記捕集部材若しくは被覆部材が非円形であることを特徴とする請求項１乃至請求項４のいずれか１つに記載の配管構造。
【発明の詳細な説明】
【技術分野】
【０００１】
本発明は、槽体の底面に取り付けられて排水口を形成する排水栓と、当該排水栓の内側に配置される捕集部材若しくは排水プレートから成る配管構造に関するものである。
【背景技術】
【０００２】
浴槽やキッチンシンク、洗面台等の槽体は、その底面において開口を有するとともに、当該底面に排水栓が取り付けられることによって排水口を形成している。排水栓は上方に外フランジを有する円筒状の部材であって、槽体の底面に設けられた開口に挿通された後、槽体の裏面よりナット等によって固定される。又、排水栓内部には、排水中に含まれる厨芥を捕集するための捕集部材としてストレーナや目皿が設けられる他、被覆部材として捕集部材に溜まっている厨芥を覆い隠して意匠性を向上させる排水プレートが配置されることがある。
しかし、前記捕集部材や被覆部材は排水栓内部に設けられた段部上に配置されているだけであり、多量の排水が排出された場合、上記捕集部材や排水プレートが外れてしまうことがあった。
【０００３】
特許文献１には、排水栓下方の収納スペースを広く利用する等の理由によって、捕集部材や被覆部材直下のスペースが狭く形成されたエルボ状の排水栓が記載されている。しかし、このような排水栓は大量に排水が排出された際、排水栓内部に排水が溜まってしまい、前記捕集部材や被覆部材の外れが生じやすい。
又、特許文献２に記載の浴室に配置された排水栓のように、排水栓内部に突出部分を設け、該突出部分と捕集部材等を螺合させることで取り付けるものが知られているが、当該方法は捕集部材等が円形である場合に限られるものであり、非円形の捕集部材や被覆部材を採用した場合には当該構造を使用することができない。
【先行技術文献】
【特許文献】
【０００４】
【特許文献１】特開２００７−２５５０２８号公報
【特許文献２】特許第４０９９７５１号
【発明の概要】
【発明が解決しようとする課題】
【０００５】
そこで、本発明は上記問題を踏まえ、大量排水が生じた際であっても、排水栓より捕集部材や被覆部材が外れることを防ぐ配管構造の提供を課題とする。
【課題を解決するための手段】
【０００６】
上記課題を解決するための請求項１に記載の本発明は、槽体の底面に取り付けられて排水口を形成する排水栓と、
排水栓の内側に配置される捕集部材若しくは被覆部材から成る配管構造において、
排水栓は全周に亘って内側に突出する内鍔部と、
当該内鍔部の下方に設けられた段部を有し、
前記捕集部材若しくは被覆部材は、縁部より外周へ向けて突設する突起部を有し、
当該突起部が前記内鍔部を乗り越えて段部に載置されることを特徴とする配管構造である。
【０００７】
請求項２に記載の本発明は、前記突起部が弾性変形することによって内鍔部を乗り越えることを特徴とする請求項１に記載の配管構造である。
【０００８】
請求項３に記載の本発明は、槽体の底面に取り付けられて排水口を形成する排水栓と、
排水栓の内側に配置される捕集部材若しくは被覆部材から成る配管構造において、
排水栓は全周に亘って内側に突出する内鍔部と、
当該内鍔部の下方に設けられた段部を有し、
前記捕集部材若しくは被覆部材は、前記内鍔部を乗り越えて縁部が段部に載置されることを特徴とする配管構造である。
【０００９】
請求項４に記載の本発明は、前記排水栓はその上面が金属板によって覆われており、
当該金属板によって内鍔部が形成されていることを特徴とする請求項１又は請求項３のいずれか１つに記載の配管構造である。
【００１０】
請求項５に記載の本発明は、前記捕集部材若しくは被覆部材が非円形であることを特徴とする請求項１乃至請求項４のいずれか１つに記載の配管構造である。
【発明の効果】
【００１１】
請求項１又は請求項３に記載の本発明によれば、捕集部材若しくは被覆部材が内鍔部を乗り越えて段部に載置されることから、槽体より多量の排水が生じた場合でも、捕集部材若しくは被覆部材が外れてしまうことがない。又、本発明は請求項５に記載のように、捕集部材若しくは被覆部材が非円形であって、螺合による取り付けが採用不可能である場合に特に有用である。
請求項２に記載の本発明によれば、突起部によって容易に弾性変形可能であることから、捕集部材若しくは被覆部材を取り付ける際に、過剰な力を必要としない。
請求項４に記載の本発明によれば、内鍔部が金属板によって形成されているとから、排水栓内部をアンダーカット若しくは金型を無理抜きしなければ成形することが出来ない形状にすることなく、内鍔部を形成することが可能となる。
【図面の簡単な説明】
【００１２】
【図１】本発明の配管構造が設けられた配管の構成を示す参考図である。
【図２】配管構造の構成部材を示す分解斜視図である。
【図３】配管構造の施工状態を示す断面図である。
【図４】図３の要部拡大図である。
【図５】ストレーナを示す平面図である。
【図６】第二実施形態に係る排水プレートを示す平面図である。
【図７】第三実施形態に係る施工状態を示す要部拡大断面図である。
【発明を実施するための形態】
【００１３】
以下、図面を参照しながら本発明の配管構造を説明する。尚、以下に記載する説明は実施形態の理解を容易にするためのものであり、これによって発明が制限して理解されるものではない。又、以下の実施形態においては図１に示す状態を基準として位置関係を説明する。
【００１４】
図１は第一実施形態に係る本発明の配管構造が設けられた配管の構成を示す参考図であり、キャビネット１００、槽体２００、排水配管３００から構成されている。尚、図１においては配管の構成の理解を容易にするため、キャビネット１００及び槽体２００の一部を切り欠いて図示している。
【００１５】
キャビネット１００は内部に収納空間を有し、当該収納空間の上方に槽体２００が取り付けられている。又、キャビネット１００は天面に図示しない水栓が配置されている。
槽体２００はシンクであって、上方が開放された箱状に形成されたステンレス等の金属材から成り、底面に略正方形の開口が設けられている。
排水配管３００は排水栓１、Ｌ字管１２、排水トラップ１３、直管１４より構成され、内部に侵入した排水を更に下流側の配管へと排出する。又、排水栓１の内部には捕集部材としてのストレーナ１５と、被覆部材としての排水プレート１９が配置されている。
【００１６】
以下に、上記各部材について詳細に説明する。
【００１７】
排水栓１は槽体２００に設けられた開口に取り付けられており、内部に排水流路を有する側面視略Ｌ字状且つ平面視略正方形状のエルボ部材であって、上端及び側面が開放されており、それぞれ排水口２と排出口３を形成している。尚、排水栓１はキャビネット１００内の収納空間を広く確保するため、排水栓１の上端から下端までの高さが低くなるように形成されている。排水口２は槽体２００の開口と同様に略正方形状であり、排出口３は下流側の配管と同様に円形となっている。又、排水栓１は外周面に外フランジ部４が形成されており、内周面には内鍔部５及び段部６が形成されている。又、排水栓１はその上面であって、外フランジ部４外縁部から内鍔部５下方に至るまで金属板８がカシメ固定されることによって覆われており、排水栓１が槽体２００に取り付けられた際において、金属板８の上面は槽体２００の底面と略面一に連続している。
外フランジ部４は排水栓１の外周面上端より外側へ向けて設けられた突条部であり、槽体２００の開口周縁にパッキンを介して当接し、槽体２００の裏面より固定部材９によって固定されている。固定部材９は図２に示すように、外周に雄螺子部を有する分割ナット１０と、内周に雌螺子部を有する固定ナット１１より構成されている。分割ナット１０は内周が排水栓１の外周と合致する形状の２つの弧状部材より構成されており、排水栓１の外周に取り付けた後に外周に雄螺子部を形成し、固定ナット１１と螺合させることによって排水栓１を槽体２００に固定することが可能となる。
図３及び図４に示すように、内鍔部５は排水栓１の内周面上端が内側に向けて突出することによって形成されており、内鍔部５の下方には、下方に向かうに従い緩やかに拡径するテーパ部７によってストレーナ１５等が載置されるスペースが形成されている。
段部６はテーパ部７の下端より内側に向けて略水平に形成された段状部分であって、当該段部６には後述するストレーナ１５及び排水プレート１９が載置されている。
【００１８】
ストレーナ１５は外周が排水口２の形状（排水栓１内周の形状）に対応し、四隅が丸みを帯びた平面視略正方形の箱状部材であって、縁部１６及び捕集部１７より構成されている。縁部１６はストレーナ１５の上縁であってポリプロピレン等の弾性を有する合成樹脂より成り、捕集部１７はストレーナ１５の側面及び底面であって、パンチング加工によって排水は通過可能且つ厨芥を捕集可能な程度の複数の小孔が設けられたステンレス材より成る。尚、図５に示すように、ストレーナ１５は縁部１６の各辺より２箇所ずつ、合計８箇所において突起部１８が外側へ向けて突設されている。尚、図２及び図５においてはストレーナ１５に設けられた複数の小孔を表すため、捕集部１７に網掛けを設けている。
ここで、縁部１６の突起部１８を含めない場合の一辺の外寸Ｌ１は内鍔部５の内寸よりも短いが、突起部１８の先端を含めた場合の一辺の外寸Ｌ２は前記内鍔部５の内寸よりもやや長くなるように構成されている。
【００１９】
排水プレート１９は排水口２の形状に対応し、四隅が丸みを帯びた平面視略正方形状のプレートであって、その天面に排水及び厨芥を通過させるための開口が設けられている。又、排水プレート１９は下端がストレーナ１５の縁部１６を介して段部６に載置されることによってストレーナ１５の内部を使用者から覆い隠し、意匠性を向上させることができる。
【００２０】
Ｌ字管１２は上流側において略水平な排水流路を形成する横管部、下流側において略垂直な排水流路を形成する縦管部より構成されている。Ｌ字管１２は上流側端部においてパッキンを介してナットにより前記排水栓１の排出口３と螺合され、下流側端部において後述する排水トラップ１３とパッキンを介してナットにより螺合されている。
【００２１】
排水トラップ１３は略Ｓ字状に管体を屈曲させて形成された配管である。即ち、排水トラップ１３は前記Ｌ字管１２の縦管部から連続する略垂直の排水流路を反転させて流路を上昇させた後、再び排水流路を反転させて流路が下降するようにして形成されており、槽体２００より排出された排水の一部を底部に貯留することが可能となっている。即ち、排水トラップ１３は、底部に貯留された排水によって排水流路を満水状態／水封状態にすることで、下流側から屋内に臭気や害虫が侵入することを防ぐトラップ機能を形成する。尚、この時排水トラップ１３内に貯留されている排水を「封水」という。
又、排水トラップ１３はその下端において直管１４とパッキンを介してナットによって螺合され、当該直管１４はキャビネット１００下方において床面から立ち上がる配管（図示せず）と接続されている。
【００２２】
上記各構成より成る配管構造は、以下のように施工される。
【００２３】
まず、槽体２００の開口に対して、排水栓１を上方より挿入する。この時、排水栓１の外フランジ部４の下方にはパッキンが配置されており、外フランジ部４はパッキンを介して開口周縁に当接する。
次に、槽体２００の裏面より、分割ナット１０を排水栓１の外周に取り付ける。排水栓１はその外周面が平面視略正方形であるとともに、分割ナット１０の内周面が前記排水栓１の外周面と略同一の形をしているため、取り付けられた状態の分割ナット１０が排水栓１に対して回転してしまうことはない。又、分割ナット１０が取り付けられた状態において、２つの分割ナット１０の外周面に設けられた雄螺子は連続する螺旋状となる。そして、当該分割ナット１０に対して固定ナット１１を螺合させることによって、排水栓１の固定が完了する。
次に、排水栓１の排出口３、Ｌ字管１２、排水トラップ１３、直管１４を、それぞれパッキンを介してナットにより螺合させる。
次に、排水口２よりストレーナ１５を段部６上に載置する。この時、ストレーナ１５の外寸Ｌ２は内鍔部５の内寸よりも大きく形成されているが、突起部１８は弾性を有する合成樹脂から成るため、ストレーナ１５を内鍔部５に対して押し付けることによって突起部１８が撓み、該突起部１８が内鍔部５を乗り越えてストレーナ１５は排水栓１の内部に嵌入され、段部６上に載置することができる。
最後に、排水プレート１９を排水栓１の段部６に載置することで施工が完了する。
【００２４】
以上の様に施工された配管において、槽体２００より排水が排出された場合、当該排水は排水プレート１９の開口より排水栓１内部（排水口２）に流入し、ストレーナ１５を通過する。この時、排水中の厨芥のみがストレーナ１５の捕集部１７によって補足され、液体のみが通過する。ストレーナ１５を通過した排水は排出口３、Ｌ字管１２、排水トラップ１３、直管１４を介して下水へと続く下流側の排水配管へと排出される。この時、上記排水の一部が排水トラップ１３の内部に封水として貯留され、排水トラップ１３内の流路の一部を満水状態／水封状態とすることによってトラップ機能を形成する。
【００２５】
上記第一実施形態の配管構造においては、ストレーナ１５が内鍔部５を乗り越えて段部６上に載置されていることから、槽体２００より多量の排水が排出されたとしても、ストレーナ１５は内鍔部５に当接し、外れてしまうことはない。従って、上記第一実施形態のように、キャビネット１００内の収納空間を広く確保するために高さが押さえられた排水栓１であっても外れが生じることはない。更に、本発明においては、螺合による取り付けが不可能な非円形のストレーナ１５であっても採用することができることから、デザインの自由度が向上する。
又、内鍔部５が排水栓１の上端に設けられていることから意匠性が高く、且つ使用者はストレーナ１５を取り付けた際に突起部１８が内鍔部５を乗り越えたか否かを視認し易い。更に、段部６が内鍔部５の下方に設けられていることから、ストレーナ１５が内鍔部５と段部６の間に配置され、ガタつきが生じにくい。
【００２６】
尚、清掃の際にはストレーナ１５を上方に持ち上げることで、突起部１８が再び内鍔部５を乗り越え、取り外すことができる。
【００２７】
本発明の第一実施形態は以上であるが、本発明の配管構造は上記構成に限られるものではなく、発明の主旨を逸脱しない範囲内において適宜変更を加えても良い。
【００２８】
例えば、図６に示す本発明の第二実施形態においては、被覆部材としての排水プレート１９の外周に突起部１８が設けられており、当該突起部１８が内鍔部５を乗り越えることによって排水プレート１９の外れを防ぐ構造となっている。当該第二実施形態においては、排水プレート１９がストレーナ１５の上方に配置されていることから、排水プレート１９の突起部１８によってストレーナ１５の外れをも防ぐことが可能となる。
即ち、ストレーナ１５（捕集部材）だけ、排水プレート１９（被覆部材）だけに突起部１８を設けても良く、逆に、ストレーナ１５と排水プレート１９の両方に突起部１８を設けても良い。又、縁部１６自体が弾性変形することによって内鍔部５を乗り越える構造としても良く、必ずしも突起部１８を設ける必要はない。
【００２９】
又、本発明においては、本発明の配管構造はキッチンに配置されたシンクとしての槽体にのみ使用されるものではなく、洗面台としての槽体や、浴槽や洗い場パンとしての槽体に取り付けられる配管構造であっても良い。従って、内鍔部５を乗り越えて段部６上に配置されるのはストレーナ１５及び排水プレート１９のみに限られるものではなく、捕集部材として、浴室の洗い場排水口等に取り付けられ、ストレーナ１５よりも捕集部の孔が大きく形成された目皿や、被覆部材として槽体２００内に水等を貯留する際に使用する、蓋に相当する止水プレートであっても良い。
【００３０】
又、上記第一実施形態においては、内鍔部５は排水栓１の内周面上端が内側に向けて突出することによって形成されていたが、図７に示す本発明の第三実施形態のように、排水栓１の上面を覆う金属板８の厚みによって内鍔部５が形成されていても良い。このようにすることで排水栓１をアンダーカット若しくは金型を無理抜きしなければ成形することが出来ない形状にすることなく、内鍔部５を容易に成形することができる。
【符号の説明】
【００３１】
１        排水栓
２        排水口
３        排出口
４        外フランジ部
５        内鍔部
６        段部
７        テーパ部
８        金属板
９        固定部材
１０      分割ナット
１１      固定ナット
１２      Ｌ字管
１３      排水トラップ
１４      直管
１５      ストレーナ
１６      縁部
１７      捕集部
１８      突起部
１９      排水プレート
１００    キャビネット
２００    槽体
３００    排水配管
【図１】
0006488457.tif 000002
【図２】
0006488457.tif 000003
【図３】
0006488457.tif 000004
【図４】
0006488457.tif 000005
【図５】
0006488457.tif 000006
【図６】
0006488457.tif 000007
【図７】
0006488457.tif 000008